(57)【要約】      （修正有）【課題】パトロール員の位置を即時に把握可能であり、且つパトロール点およびパトロール経路がランダムに決定され、悪人がパトロール経路を知らなくなり、且つパトロール員と悪人との結託による被害を防止可能である。【解決手段】ホストと、無線通信方式で前記ホストと通信する通信装置と、各パトロール点に設置され、各パトロール点のデータを持ち、前記通信装置と感応可能である複数の通信具とを含み、前記通信装置が通信具に接近すると、前記通信具内のデータが前記ホストに伝送されて、前記ホストは前記通信装置の位置を把握可能であることを特徴とするパトロールシステム。【選択図】図２
2008042902.tif 000002
【特許請求の範囲】
【請求項１】
ホストと、無線通信方式で前記ホストと通信する通信装置と、各パトロール点に設置され、各パトロール点のデータを持ち、前記通信装置と感応可能である複数の通信具とを含み、前記通信装置が通信具に接近すると、前記通信具内のデータが前記ホストに伝送されて、前記ホストは前記通信装置の位置を把握可能であることを特徴とする、パトロールシステム。
【請求項２】
前記ホストと前記通信装置とは、GSM/GPRS通信方式で連結することを特徴とする、請求項1に記載のパトロールシステム。
【請求項３】
前記通信具は、RFIDラベルであり、RFID方式で前記通信装置と感応することを特徴とする、請求項１又は請求項２に記載のパトロールシステム。
【請求項４】
前記通信装置は、マイクロ制御器と、RFIDリーダーと、GSM/OPRSモジュールと、ディスプレーと、キーボードとを含み、前記マイクロ制御器は、前記RFIDリーダーと、前記GSM/OPRSモジジュールと、前記ディスプレーと、前記キーボードと、それぞれ連結することを特徽とする、請求項３に記載のパトロールシステム。
【請求項５】
前記通信装置を持っているパトロール員が指定のパトロール点に着き、且つ前記通信装置が前記パトロール点に設置された通信具を感応したときに、前記通信装置が前記ホストに連絡し、前記ホストが前記通信装置の連絡信号を受けた後、多数のパトロール点から次のパトロール点をランダムに決定して、次のパトロール点の情報を前記通信装置に伝送することを特徴とする、パトロール方法。
【請求項６】
次のパトロール点の決定は、下記の規制によってランダムに決定され、（イ)次のパトロール点は現在のパトロール点に隣接しており、(口)次のパトロール点はパトロールしたパトロール点であってもよく、なお、パトロールしたパトロール点を選ぶ確率がより低く、パトロールしているパトロール点を選ぶ確率がより高く、
(ハ)パトロールしたパトロール点を選ぶ場含には、パトロールした複数のパトロール点の選ばれる確率がそれぞれ異なり、すなわち、パトロールした時間点から現在までの時聞が長いほど、選ばれる確率が高く、(二)前記ホストは重要なパトロール点を予め設定することが可能であり、且つ重要なパトロール点の選ばれる確率は一般のパトロール点よりも高いことを特徴とする、請求項５に記載のパトロール方法。
【発明の詳細な説明】
【技術分野】
【０００１】
本発明は、パトロールシステムに係り、特にパトロール員の位置を即時に把握可能であり、且つパトロール点およびパトロール経路がランダムに決定されることにより、悪人がパトロール経路を知らなくなり、且つパトロール員と悪人との結託による被害を防止可能であるパトロールシステムとそのパトロール方法に関するものである。
【背景技術】
【０００２】
目下、軍隊、警察、又は警備会社は、パトロール員のパトロール経路が一定であり、なお、パトロール員がパトロール点に着いたことを証明するために、パトロール員は各パトロール点に設置されたパトロール箱内に設けられる出勤簿にサインすることが必要であり、しかし、自動車を乗ってパトロールするパトロール員は、各パトロール点で下車してパトロール箱内に設けられる出勤簿にサインすることが必要であるので、極めて不便であり、且つパトロール箱がロックされないので、誰も出勤簿を読むことができ、悪人が出勤簿を読んでパトロール経路およびパトロール時間を把握すると、パトロールは無効になる虞がある。
【０００３】
だから、ある業者はGPS(衛星位置決めシステム)と無線通信とによってパトロール員の位置とパトロール経路とを把握し、これは出勤簿による欠点を解決できるが、設備の価格が高く、建物の内部には衛星信号を接収不能であるので、このパトロールシステムは理想とは言えない。
【０００４】
現在、上記のパトロールシステムの代りに、RFID(Radio Frequency ldentification)が開発され、例えば台湾特許09213677号の「パトロールシステムとそのパトロール方法」に開示したように、このパトロールシステムは、図1に示すように、複数のRFIDラベル10と、一つの発送接収レコーダー11とを含み、各RFIDラベル10には一つのメモリ101が設けてあり、各パトロール点にRF1Dラベル10を設置すると、パトロール員が前記発送接収レコーダー11を持ちながらパトロールするときに、前記発送接収レコーダー11が電磁波を間歌に放射し、前記RFIDラベル10が前記発送接収レコーダー11から放射される電磁波を接収した後、パトロール記録が前記RFIDラベル10のメモリ101に書き込まれ、そうすると、RFlDラベル10により出勤簿を代ることができ、パトロールの記録が快速で便利になり、且つパトロールの記録がRFIDラベル10に書き込まれるので、パトロールの記録を改竄することができなくなリ、悪人も出勤簿によってパトロール経路および時間を知ることができなく、この方法は、GPSパトロールシステムに比べて、価格がより易くて室内外でも使用可能であるが、パトロール員の位置を即時に把握することができなく、且つパトロール経路が一定であり、パトロール員が悪人と結託し、又は悪人が長期に観察してパトロール経路を知ると、パトロールは無効になる虞がある。
【発明の開示】
【発明が解決しようとする課題】
【０００５】
本発明の主な目的は、パトロール員の位置を即時に把握可能であるパトロールシステムを提供することにある。
【０００６】
本発明の次の目的は、パトロール経路をランダムに変更可能であるパトロール方法を提供することにある。
【課題を解決するための手段】
【０００７】
上記目的を達成するためになされた本願の発明は、ホストと、無線通信方式で前記ホストと通信する通信装置と、各パトロール点に設置され、各パトロール点のデータを持ち、前記通信装置と感応可能である複数の通信具とを含み、前記通信装置が通信具に接近すると、前記通信具内のデータが前記ホストに伝送されて、前記ホストは前記通信装置の位置を把握可能であることを特徴とする、パトロールシステムであることを要旨としている。
【０００８】
本願の発明では、前記ホストと前記通信装置とは、GSM/GPRS通信方式で連結することを特徴とする請求項１に記載のパトロールシステムであることを要旨としている。
【０００９】
本願の発明では、前記通信具は、RFIDラベルであり、RFlD方式で前記通信装置と感応することを特徴とする請求項１又は請求項２に記載のパトロールシステムであることを要旨としている。
【００１０】
本願の発明では、前記通信装置は、マイクロ制御器と、RFIDリーダーと、GSM/GPRSモジュールと、ディスプレーと、キーボードとを含み、前記マイクロ制御器は、前記RFIDリーダーと、前記GSM/GPRSモジュールと、前記ディスプレーと、前記キーボードと、それぞれ連結することを特徴とする、請求項３に記載のパトロールシステムであることを要旨としている。
【００１１】
本願の発明では、前記通信装置を持っているパトロール員が指定のパトロール点に着き、且つ前記通信装置が前記パトロール点に設置された通信具を感応したときに、前記通信装置が前記ホストに連絡し、前記ホストが前記通信装置の連絡信号を受けた後、多数のパトロール点から次のパトロール点をランダムに決定して、次のパトロール点の情報を前記通信装置に伝送することを特徴とするパトロール方法であることを要旨としている。
【００１２】
本願の発明では、次のパトロール点の決定は、下記の規制によってランダムに決定され、(イ)次のパトロール点は現在のパトロール点に隣接しており、(ロ)次のパトロール点はパトロールしたパトロール点であってもよく、なお、パトロールしたパトロール点を選ぶ確率がより低く、パトロールしているパトロール点を選ぶ確率がより高く、(ハ)パトロールしたパトロール点を選ぶ場合には、パトロールした複数のバトロール点の選ばれる確率がそれぞれ異なり、すなわち、パトロールした時間点から現在までの時間が長いほど、選ばれる確率が高く、(二)前記ホストは重要なパトロール点を予め設定することが可能であり、且つ重要なパトロール点の選ばれる確率は一般のパトロール点よりも高いことを特徴とする請求項５に記載のパトロール方法であることを要旨としている。
【発明の効果】
【００１３】
本発明のパトロールシステムとそのパトロール方法によれば、パトロール員の位置を即時に把握可能であり、且つパトロール経路をランダムに変更可能である効果がある。
【発明を実施するための最良の形態】
【００１４】
以下、添付図面を参照して本発明の好適な実施の形態を詳細に説明する。
【００１５】
まず、図2と図3を参照する。図2は本発明の実施例のパトロールシステムの使用方法を示す概略図であり、図3は本発明の実施例のパトロールシステムを示すシステム図である。本発明のパトロールシステムは、ホスト20と、通信装置21と、複数のRFIDラベル22(本実施例では、通信具がRFIDラベルである)とを含み、ホスト20と通信装置21とはGSM(GlobaI System for Mobile
Communications)/GPRS(General Packet Radio Service)の通信方式にて連結し、前記通信装置21とRFlDラベル22とはRFlD(Radio Frequency ldentification)方式にて感応し、前記通信装置21は、マイクロ制御器211と、RFIDリーダー212と、GSM/GPRSモジュール213と、ディスプレー214と、キーボード215とを含み、図4に示すように、前記マイクロ制御器211は、通信装置21の核心であり、前記RF1Dリーダー212と、前記GSM/GPRSモジュール213と、前記ディスプレー214と、前記キーボード215とそれぞれ連結し、通信装置21はRFIDリーダー212にてRFIDラベル22と感応し、且つGSM/GPRSモジュール213にてホスト20と無線で連結し、ディスプレー214はマイクロ制御器211に制御されてデータを表示し、キーボード215は通信装置21を操縦しデータを編集し、RFlDラベル22は、各パトロール点に設置され、内部に各パトロール点の資料が記憶してあり、もちろん、前記通信装置21とホスト20との連結方式は、GSM/GPRSの通信方式に限定されなく、コードレス連結方式であれば、何れかの通信方式であってもいい。
【００１６】
次に、本発明のパトロール方法を詳細に説明する。前記通信装置21を持っているパトロール員が指定のパトロール点に着き、且つ前記通信装置21が前記パトロール点に設置された通信具(本実施例では、RFIDラベル22である)を感応したときに、前記通信装置21が通信具の資料を読み取って、このパトロール点の資料がマイクロ制御器211に処理されて、ディスプレー214にパトロール記録が表示されて、GSM/GPRSモジュール213にてパトロール記録がホスト20に伝送される。
【００１７】
また、ホスト20が通信装置21からのパトロール記録を接収した後、次のパトロール点の決定は、下記のルールによってランダムに決定される。
【００１８】
(イ)次のパトロール点は現在のパトロール点に隣接している。
【００１９】
(ロ)次のパトロール点はパトロールしたパトロール点であってもよく、なお、パトロールしたパトロール点を選ぶ確率がより低く、パトロールしているパトロール点を選ぶ確率がより高い。
【００２０】
(ハ)パトロールしたパトロール点を選ぶ場合には、パトロールした複数のパトロール点の選ばれる確率がそれぞれ異なり、すなわち、パトロールした時間点から現在までの時間が長いほど、選ばれる確率が高い。
【００２１】
(二)前記ホストは重要なパトロール点を予め設定することが可能であり、且つ重要なパトロール点の選ばれる確率は一般のパトロール点よりも高い。
【００２２】
次のパトロール点を決定した後、図5に示すように、前記次のパトロール点の資料が通信装置21に伝送されて、通信装置21はGSM/GPRSモジュール213にて次のパトロール点の資料を接収してマイクロ制御器211に伝送し、上記資料がマイクロ制御器211にて処理されてディスプレー214に表示し、このとき、前記パトロール員はホスト20の指示に従って次のパトロール点へ行く。
【００２３】
本発明の実施例のパトロールシステムは、通信装置21とRFlDラベル22との感応により、パトロール記録がホスト20に連絡するので、ホスト20はパトロール員の位置を即時に把握することができ、パトロール員が予定時間以内に指定されたパトロール点に着かない場合には、ホスト20を監視しているメンバーはパトロール員を連絡することができ、このとき、前記パトロール員との連絡が取れなく、又は突然に発生する状況がある場合には、前記メンバーは対策を即時に打ち出すことができる。
【００２４】
また、本発明のパトロール方法によれば、パトロール経路をランダムに変更可能であるので、悪人はパトロール経路を知ることができなく、軽易に犯罪することがしなくなり、パトロール区域の犯罪率が降下になり、そして各パトロール点とパトロール経路とがホスト20にてランダムに決定されるので、パトロール員は次のパトロール点を予め知ることができなくなり、パトロール員が悪人と結託してパトロール経路を悪人に漏れ出すことを防止することができる。
【図面の簡単な説明】
【００２５】
【図１】従来のパトロールシステムの概略図
【図２】本発明の実施例のパトロールシステムの使用方法を示す概略図
【図３】本発明の実施例のパトロールシス予ムを示すシステム図
【図４】本発明の実施例の通信装置を示すシステム図
【図５】本発明の実施例のパトロール方法のフローチャート
【符号の説明】
【００２６】
10   RFIDラベル
101  メモリ
11   発送接収レコーダー 
20   ホスト
21   通信装置
211  マイクロ制御器
212  RFIDリーダー
213  GSM/GPRSモジュール
214  ディスプレー
215  キーボード
22   RFIDラべル
【図１】
2008042902.tif 000003
【図２】
2008042902.tif 000004
【図３】
2008042902.tif 000005
【図４】
2008042902.tif 000006
【図５】
2008042902.tif 000007